(57)【特許請求の範囲】
【請求項１】
サーバと、
前記サーバとの通信手段を有する複数の学習者用端末と、
を備えて成る学習システムであって、
（１）  各学習者の学習到達度をそれぞれ評価する学習到達度評価工程であって、
前記サーバから前記各学習者用端末に学習到達度を判定するテストを配信するステップと、
前記各学習者用端末から前記サーバに送信される前記テストの解答を受信するステップと、
前記テストの解答を採点するステップと、
前記テストの結果から学習者の学習到達度の変動を蓄積し、該学習者の学習到達度の変動に基づいて該テスト直前に行われた講義の学習到達度の向上効果の評価を行うステップと、
を有してなる学習到達度評価工程と、
（２）  各学習者に受講させる講義の内容を学習者毎に選択する講義内容選択工程と、
をそれぞれ３〜１５分間毎に実行する手段を有するとともに、
前記サーバから一部又は全部の前記学習者用端末に前記講義内容選択工程で選択された講義をそれぞれ配信する講義配信工程を実行する手段を有してなり、
前記講義の学習到達度の向上効果の評価を前記講義内容選択工程における講義の配信優先順位に反映させることを特徴とする学習システム。
【発明の詳細な説明】
【技術分野】
【０００１】
本発明はコンピュータを利用した学習システムに関する。詳しくは、各学習者の学習到達度を測定して学習者毎に講義内容を変化させながら講義を行うように構成した学習システムに関する。
【背景技術】
【０００２】
近年、コンピュータ及び通信回線の急速な進歩により、コンピュータを利用した学習システム（ＣＡＩ）は、学習塾や資格予備校、企業研修などで広く利用されている（特許文献１−５）。例えば、インターネット回線等を通じて各学習者の端末に講義を配信する方法や各学習者の端末に学習到達度を測定するテスト（以下、単に「テスト」ともいう）を配信して各学習者にこれを解答させる方法が挙げられる。
【０００３】
これらは、各学習者が任意の場所で任意の時間に講義を受講することができる、テストの採点や統計処理をコンピュータを用いて自動的に行うことができる等の利点がある。
【０００４】
ところで、各学習者の学習到達度は様々であり一定ではない。講義の難易度を学習者の平均的な学習到達度に適合させる場合、学習到達度の高い学習者にはその講義が役立たないことが多い。一方、学習到達度の低い学習者はその講義を理解することができない場合が多い。
【０００５】
この問題を解消するために、学習到達度に応じて複数の難易度別クラスを設け、テスト結果等に応じて数ヶ月毎に各学習者をクラス分けして、各学習者に受講させる講義の難易度を各学習者の学習到達度に適合させる方法が考えられる。この方法による場合、学習者の学習到達度が急激に変化した時であっても、直ちに難易度が異なる講義を受講させることは困難である。そのため、学習到達度が急激に変化した学習者の学習効率を低下させるという問題がある。各学習者に受講する講義の難易度を選択させることも考えられるが、各学習者が適切な難易度の講義を選択することができなかった場合にはこの問題は解消しない。
【０００６】
また、講義の途中に学習到達度を測定する小テスト（以下、単に「小テスト」ともいう）を介在させて、該小テストにより測定される学習到達度が所定の基準に達するまで、繰り返し小テストを課する方法やその講義を再受講させる方法がある。しかし、学習者の学習到達度が所定の基準に達していないということは、その講義が該学習者に対して十分な効果を奏しなかったといえる。このような学習効果の乏しい講義を繰り返し受講しても、学習到達度の向上は期待できない。また、学習到達度が所定の基準に達しなかった学習者に対し、自身の学習到達度に適合しない難易度の講義の受講を繰り返し強いると学習意欲を低下させ易い。
【０００７】
一方、学習者がある一点についてのみ誤った知識を習得している場合などにおいては、誤解が解消されることにより急激に学習到達度が向上する場合がある。急激に学習到達度が向上した学習者に対し、自身の学習到達度に適合しない講義を受講させ続けると学習効率や学習意欲を低下させ易い。
【０００８】
このように、従来のＣＡＩは、その設計段階に想定された学習者にとっては有効であるが、該想定された学習者以外にとっては学習効率や学習意欲を低下させ易いという問題がある。
【先行技術文献】
【特許文献】
【０００９】
【特許文献１】特開平５−２１６３８９号公報
【特許文献２】特開２００１−２９６７８９号公報
【特許文献３】特開２００２−９９１９９号公報
【特許文献４】特開２００２−１３２１３０号公報
【特許文献５】特開２０１２−２０８１４３号公報
【発明の概要】
【発明が解決しようとする課題】
【００１０】
本発明の課題は、各学習者の受講する講義の内容及び難易度が常に最適化されており、自身の学習到達度に適合しない講義の受講を可及的に排除する学習システムを提供することである。
【課題を解決するための手段】
【００１１】
本発明者は、各学習者の学習到達度をそれぞれ評価する学習到達度評価工程と、各学習者に受講させる講義内容を学習者毎に選択する講義内容選択工程と、を講義中に複数回繰り返すことにより上記課題を解決できることを見出し、本発明を完成するに至った。
【００１２】
上記課題を解決する本発明は以下に記載するとおりである。
【００１３】
〔１〕  サーバと、
前記サーバとの通信手段を有する複数の学習者用端末と、
を備えて成る学習システムであって、
各学習者の学習到達度をそれぞれ評価する学習到達度評価工程と、
各学習者に受講させる講義の内容を学習者毎に選択する講義内容選択工程と、
をそれぞれ３〜１５分間毎に有するとともに、
前記サーバから一部又は全部の前記学習者用端末に前記講義内容選択工程で選択された講義をそれぞれ配信する講義配信工程を有してなることを特徴とする学習システム。
【００１４】
上記〔１〕の発明は、各学習者の学習到達度に応じて講義中に講義の難易度を学習者毎にそれぞれ変更することができる。各学習者の受講する講義の難易度は、その学習到達度に応じて３〜１５分間毎に変化する機会を有している。
【００１５】
〔２〕  前記学習到達度評価工程が、
前記サーバから前記各学習者用端末に学習到達度を判定するテストを配信するステップと、
前記各学習者用端末から前記サーバに送信される前記テストの解答を受信するステップと、
前記テストの解答を採点するステップと、
を有してなる〔１〕に記載の学習システム。
【００１６】
上記〔２〕の発明は、各学習者の学習到達度を講義中に行われる小テストにより測定する。講義の難易度が適正でない学習者に対しては、講義中に講義の難易度をそれぞれ変更することができる。各学習者の受講する講義の難易度は、小テストにより測定される学習到達度に応じて３〜１５分間毎に変化する機会を有している。
【００１７】
〔３〕  前記学習到達度評価工程が、
前記サーバから前記各学習者用端末に学習到達度を判定するテストを配信するステップと、
前記各学習者用端末から前記サーバに送信される前記テストの解答を受信するステップと、
前記テストの解答を採点するステップと、
を有してなり、
前記講義内容選択工程が、
前記テストの採点結果を分析して各学習者に適する講義を自動的に選択するステップと、
前記サーバから前記各学習者用端末に受講すべき講義を通知するステップと、
を有してなる〔１〕に記載の学習システム。
【００１８】
上記〔３〕の発明は、各学習者の学習到達度を講義中に行われる小テストにより測定する。講義の難易度が適正でない学習者に対しては、講義中に講義の難易度ををそれぞれ自動的に変更する。各学習者の受講する講義内容は、小テストにより測定される学習到達度に応じて３〜１５分間毎に自動的に変化する機会を有している。
【発明の効果】
【００１９】
本発明の学習システムは、講義中に各学習者の学習到達度に応じて各学習者の受講する講義の難易度を３〜１５分間毎にそれぞれ最適化しながら講義が進行する。そのため、各学習者の現実の学習到達度に適合する最適な難易度の講義を受講させることができる。
【図面の簡単な説明】
【００２０】
【図１】図１（ａ）〜１（ｂ）は、本発明の学習システムの一構成例を示す説明図である。
【図２】図２（ａ）〜２（ｃ）は、本発明の学習システムの他の構成例を示す説明図である。
【図３】図３（ａ）〜３（ｃ）は、本発明の学習システムのさらに他の構成例を示す説明図である。
【図４】図４は、図３の学習システムのフローチャートである。
【発明を実施するための形態】
【００２１】
以下、本発明の学習システムの第１の実施形態について、図面を参照しながら説明する。本明細書において、初級講義とは極めて基礎的な内容であって最も難易度が低い講義、上級講義とは応用的な内容であって最も難易度が高い講義、中級講義とは初級講義と上級講義との中間的な内容及び難易度の講義である。また、これらを受講すべき学習到達度の学習者をそれぞれ初級学習者、上級学習者、中級学習者ともいう。
【００２２】
図１（ａ）〜１（ｂ）は、本発明の学習システムの一構成例を示す説明図である。図１中、１００は本発明の学習システムである。１１は学習者を管理するサーバＡ、１３は講義配信用のサーバＢ、１５は小テスト配信用のサーバＣである。２１〜２６はそれぞれ学習者１〜６が使用する学習者用端末であり、同一教室内に設置されている。３１は学習者用端末２１〜２６と同一教室内に設置された電子黒板であり、３３は講師用端末である。各学習者用端末２１〜２６はそれぞれサーバＡ〜Ｃに接続可能に構成されている。
【００２３】
本例では、教室内において講師により中級講義が行われていることを前提とする（以下、「生講義」ともいう）。本発明の学習システムは、学習到達度評価工程及び講義内容選択工程がそれぞれ３〜１５分間毎に繰り返される。
【００２４】
学習到達度評価工程は特に限定されないが、講義中に各学習者用端末に小テストを配信して行う方法や、講師が学習者に質問してその理解度を判断する方法により行われる。
【００２５】
学習到達度評価工程が、各学習者用端末に小テストを配信して行われる場合について以下に説明する。先ず、学習者用端末２１〜２６には、サーバＣ１５から小テストがそれぞれ配信される。各学習者１〜６はこの小テストを解答し、学習者用端末２１〜２６に解答をそれぞれ入力する。各学習者の解答は、各学習者用端末２１〜２６からそれぞれサーバＣ１５に送信され、サーバＣ１５において自動的に採点される（学習到達度評価工程）。また、小テストの結果が講師用端末３３を用いて確認可能な状態とされる。
【００２６】
その後、この採点結果に基づいて、各学習者の学習到達度がそれぞれ分析され、各学習者が受講すべき難易度の講義がそれぞれ選択される（講義内容選択工程）。分析の結果、学習到達度が中級であると判断された学習者に対しては、そのまま教室内の生講義（中級講義）を受講させることが適当である。そのため、サーバＣ１５は、中級学習者の学習者用端末に対しては、採点結果や模範解答のみを送信する。一方、初級学習者又は上級学習者に対しては、教室内の生講義（中級講義）を受講させ続けることは不適当である。そのため、サーバＣ１５は、初級学習者又は上級学習者と判断された学習者の学習者用端末に対しては、採点結果や模範解答をそれぞれ送信するとともに、サーバＢ１３に対して該当する学習者の学習者用端末に初級講義又は上級講義を配信するようにそれぞれ指示する。
【００２７】
次いで、サーバＢ１３から初級学習者及び上級学習者の学習者用端末へ講義がそれぞれ配信される（講義配信工程）。本例においては、初級学習者及び上級学習者の講義内容がそれぞれ変更される。初級学習者及び上級学習者に対する講義内容の変更は、サーバＢ１３から初級学習者及び上級学習者の各学習者用端末に、初級講義又は上級講義をそれぞれ配信することによって行われる。初級講義及び上級講義は、予め収録された講義（以下、「収録講義」ともいう）であっても良いし、他教室で同時に行われている生講義の映像及び音声を学習者用端末にリアルタイムで配信しても良い。この講義中に小テストを行う方法により学習到達度を評価する方法においては、講義内容の選択及び講義の配信がサーバによって自動的に行われる。
【００２８】
講師が各学習者に質問してその理解度を個別に判断する方法により学習到達度を評価する場合について以下に説明する。先ず、講師は各学習者に口頭で質問等をして学習到達度をそれぞれ判断する（学習到達度評価工程）。次に、講師は各学習者の学習到達度を講師用端末３３にそれぞれ入力して、講義内容の変更が必要な学習者の端末に初級講義又は上級講義を配信するようにサーバＢ１３に指示する（講義内容選択工程）。これにより、初級学習者及び上級学習者の各学習者用端末には、サーバＢ１３から初級講義又は上級講義がそれぞれ配信される（講義配信工程）。講師が各学習者に質問してその理解度を個別に判断する方法により学習到達度を評価する方法によれば、講義内容の選択は講師により行われる。
【００２９】
図１（ｂ）は、初級学習者又は上級学習者の学習者用端末に対して初級講義又は上級講義が配信されている状態を示す説明図である。図１（ｂ）においては学習者１及び３が初級講義、学習者２、４及び６が中級講義、学習者５が上級講義を受講している。学習者１及び３は先の学習到達度評価工程において初級学習者であると判断され、講義内容選択工程において、初級講義を受講すべきと判断されている。そのため、学習者用端末２１及び２３には初級講義が配信されている。学習者２、４及び６は先の学習到達度評価工程において中級学習者であると判断され、講義内容選択工程において、中級講義を受講すべきと判断されている。学習者２、４及び６は中級の生講義を受講するため、学習者用端末２２、２４及び２６に対して講義は配信されていない。学習者５は先の学習到達度評価工程において上級学習者であると判断され、講義内容選択工程において、上級講義を受講すべきと判断されている。そのため、学習者用端末２５には上級講義が配信されている。
【００３０】
このように、本発明の学習システムは、各学習者の学習到達度を講義中にそれぞれ評価し、その結果に応じて講義の難易度を学習者毎に変更しながら講義が進行する。その結果、各学習者に受講させる講義の難易度を各学習者の学習到達度に適合させ易い。即ち、本発明の学習システムは、各学習者の学習到達度を測定して講義の難易度を適合させる、いわば学習者のクラス分けを随時行いながら講義が進行するため、各学習者の学習到達度の変動に速やかに対応できる。さらに、本発明の学習システムは、小テストの結果が講師用端末を用いて確認可能な状態とされる。そのため、各講師は小テストの結果を参照しながら、学習者により適合する内容に講義内容を修正することができる。
【００３１】
上記の例では中級講義を生講義としたが、電子黒板３１に映像を配信する方法であっても良い。また、各級の受講者数に応じて生講義とする講義の難易度を途中で変更しても良い。上記の例では３台のサーバを用いているが、これに限らず、前記３台のサーバの役割を１台のサーバに担わせる構成としても良い。電子黒板３１は、各学習者の解答を表示するように構成しても良い。
【００３２】
また、講師用端末を用いて学習到達度の低い学習者を見つけ出し、該学習者に対して補助教員による指導を行うようにしても良い。
【００３３】
上記の講義は４５分〜３時間であり、６０〜９０分間が好ましい。また、講義内容選択工程は３〜１５分間毎に行われ、５〜１２分間毎であることが好ましい。１講義中における講義内容選択工程は３〜３０回であり、５〜１５回であることが好ましい。
【００３４】
以下、本発明の学習システムの第２の実施形態について、図面を参照しながら説明する。なお、本明細書において講義とは、通常４５分〜３時間の講義をいい（いわゆる１コマ）、小講義とは、前記講義を構成する３〜１５分間の分割講義をいう。例えば、講義が９０分間で各小講義が１０分間である場合、この講義は９個の小講義の集合により構成されている。以下、この９個の小講義はそれぞれ順に第１小講義、第２小講義・・・という場合がある。
【００３５】
図２（ａ）〜２（ｃ）は、本発明の学習システムの一構成例を示す説明図である。図２中、４１、４３、４５はそれぞれサーバＡ、Ｂ、Ｃである。５１〜５６はそれぞれ学習者１〜６が使用する学習者用端末であり、サーバＡ〜Ｃの何れかに接続されている。サーバＡ〜Ｃには、講師Ａ、講師Ｂ、講師Ｃが使用する講師用端末６１、６３、６５がそれぞれ接続されている。図２中、６２、６４、６６は映像配信装置であり、各講師Ａ〜Ｃの講義をそれぞれサーバＡ〜Ｃを介して各学習者用端末５１〜５６に配信する。各講師Ａ〜Ｃはそれぞれ難易度が異なる講義を行う。本学習システムにおいては、講師Ａは初級講義、講師Ｂは中級講義、講師Ｃは上級講義を行う。
【００３６】
この学習システムは、学習到達度評価工程及び講義内容選択工程が講義中にそれぞれ複数回行われる。この学習到達度評価工程及び講義内容選択工程は以下のステップからなる。
【００３７】
先ず、学習者用端末５１〜５６にサーバ（図２（ａ）においては、サーバＢ４３）から小テストがそれぞれ配信される。各学習者１〜６はこの小テストを解答し、学習者用端末５１〜５６に解答結果をそれぞれ入力する。各学習者の解答は各学習者用端末５１〜５６からサーバにそれぞれ送信される。各学習者から送信された解答はサーバにおいて自動的に採点される（学習到達度評価工程）。また、小テストの結果が講師用端末６１、６３、６５を用いて確認可能な状態とされる。
【００３８】
その後、サーバは、各学習者の学習到達度をそれぞれ分析して、各学習者の学習到達度に応じて受講すべき第１小講義をそれぞれ選択する。サーバは、各学習者用端末５１〜５６に採点結果や模範解答等をそれぞれ送信するとともに、各学習者の学習到達度に応じて受講すべき第１小講義をそれぞれ選択し、各学習者用端末５１〜５６に受講すべき第１小講義をそれぞれ通知する（講義内容選択工程）。本例においては、初級学習者及び上級学習者の講義内容がそれぞれ変更される。初級学習者及び上級学習者に対する講義内容の変更はどのように行っても良いが、例えば各学習者用端末が接続するサーバをそれぞれ変更することによって行うことができる。図２（ｂ）は、サーバの接続先が変更された状態を示す説明図である。
【００３９】
図２（ｂ）においては、各学習用端末５１〜５６は、先に行われた小テストの結果に応じて通知されたサーバに接続先がそれぞれ変更されている。例えば、学習者１は先に行われた小テストの結果、学習到達度が低いと判断され、その結果サーバＡ４１に接続先が変更されている。よって、学習者１の学習者用端末５１には、初級の第１小講義が配信される。同様に、学習者６は先に行われた小テストの結果、学習到達度が高いと判断され、その結果サーバＣ４５に接続先が変更されている。よって、学習者６の学習者用端末５６には、上級の第１小講義が配信される。
【００４０】
各学習者用端末には、前記講義内容選択工程で選択された講義が各サーバからそれぞれ配信される（講義配信工程）。図２（ｂ）においては学習者１及び５が初級の第１小講義、学習者２及び４が中級の第１小講義、学習者３及び６が上級の第１小講義が配信されている。
【００４１】
第１小講義が終了したら、学習者用端末５１〜５６にはそれぞれの接続先サーバから小テストが配信される。各学習者１〜６はこの小テストを解答し、学習者用端末５１〜５６に解答結果を入力する。各学習者の解答は各学習者用端末５１〜５６からサーバにそれぞれ送信される。各学習者から送信された解答はサーバにおいて自動的に採点される（学習到達度評価工程）。また、小テストの結果が講師用端末６１、６３、６５を用いて確認可能な状態とされる。
【００４２】
その後、サーバは、各学習者の学習到達度をそれぞれ分析して、各学習者の学習到達度に応じて受講すべき第２小講義をそれぞれ選択する。サーバは、各学習者用端末５１〜５６に採点結果や模範解答等をそれぞれ送信するとともに、各学習者の学習到達度に応じて受講すべき第２小講義をそれぞれ選択し、各学習者用端末５１〜５６に受講すべき第２小講義をそれぞれ通知する（講義内容選択工程）。本例においては、初級学習者及び上級学習者の講義内容が変更される。
【００４３】
図２（ｃ）は、サーバの接続先が変更された状態を示す説明図である。図２（ｃ）においては学習者２が初級の第２小講義、学習者３及び５が中級の第２小講義、学習者１及び４、６が上級の第２小講義を受講している。
【００４４】
各学習用端末５１〜５６は、先に行われた小テストの結果に応じて通知されたサーバに接続先がそれぞれ変更されている。例えば、学習者１は先に行われた小テストの結果、学習到達度が高いと判断され、その結果サーバＣ４５に接続先が変更されている。よって、学習者１の学習者用端末５１には、上級の第２小講義が配信される。同様に、学習者６は先に行われた小テストの結果、学習到達度が高いと判断され、その結果サーバＣ４５に接続先が維持されている。よって、学習者６の学習者用端末５６には、上級の第２小講義が配信される。
【００４５】
このように、本発明の学習システムは、小講義毎に小テストを行い、その結果に応じて各学習者の受講すべき小講義の難易度をそれぞれ切り換えながら講義が進行する。その結果、各学習者が受講する講義をその学習到達度に適合させ易い。
【００４６】
上記の例では映像配信装置６２、６４、６６はサーバＡ〜Ｃを介して学習者用端末５１〜５６に講義を配信しているが、これに限らず、サーバを介さずに直接学習者用端末５１〜５６に講義を配信しても良い。その場合、サーバＡ〜Ｃは学習者用端末５１〜５６に受講すべき講義をそれぞれ通知し、学習者用端末５１〜５６は接続する映像配信装置をそれぞれ切り換える。
【００４７】
上記の例では３台のサーバを用いているが、これに限らず、前記３台のサーバの役割を１台のサーバに担わせる構成としても良い。また、上記の例では、講義を配信するサーバと小テストを配信するサーバとが同一であるが、これに限らず、小テスト配信用のサーバを別途設けても良い。また、上記の例では３名の講師が講義を行っているが、これに限らず、１名で複数の難易度の講義を行っても良い。その場合、相互の講義においてテストの解答時間と講義視聴時間とをずらす等の調整を行えばよい。
【００４８】
上記の例では、各学習者はそれぞれ学習者用端末に配信された講義を視聴しているが、これに限らず、学習者用端末を小テストの送受信及び受講すべき講義の確認のみに使用し、講義は教室内で直接行う又は教室内に設置された大型モニターを通して行う等の方法であっても良い。
【００４９】
上記の講義は４５分〜３時間であり、６０〜９０分間が好ましい。また、上記の小講義は、３〜１５分間であり、５〜１２分間であることが好ましい。各学習者に１講義中に配信される小講義数は３〜３０であり、５〜１５であることが好ましい。
【００５０】
次に、本発明の学習システムの第３の実施形態について、図面を参照しながら説明する。
【００５１】
図３（ａ）〜３（ｃ）は、本発明の学習システムの他の構成例を示す説明図である。図３中、７１はサーバＡ、７３はサーバＢ、７５はサーバＣであり、それぞれのサーバには予め収録された講義（以下、「収録講義」ともいう）が記録されている。各サーバに記録されている収録講義はそれぞれ難易度が異なる。本例においては、サーバＡ７１には初級講義、サーバＢ７３には中級講義、サーバＣ７５には上級講義が記録されている。図３中、８１〜８６はそれぞれ学習者１〜６が使用する学習者用端末であり、サーバＡ〜Ｃの何れかに接続されている。
【００５２】
図４は、本学習システムのフローチャートである。以下、このフローチャートを参照しながら本発明を説明する。図３（ａ）において、各学習者用端末８１〜８６はサーバＢ７３に接続されている。第３実施形態の学習システムは、学習到達度評価工程が講義中に複数回行われるとともに、該学習到達度に応じた小講義が各学習者用端末に自動的に配信される。
【００５３】
この学習到達度評価工程は以下のステップからなる。先ず、サーバＢ７３は各学習者用端末８１〜８６に小テストをそれぞれ配信する。各学習者１〜６は、小テストを解答し、学習者用端末８１〜８６に解答結果をそれぞれ入力する。各学習者用端末８１〜８６はサーバＢ７３に学習者の解答をそれぞれ送信する。サーバＢ７３は、学習者から送信された解答を自動的に採点する。この採点結果に基づいて各学習者の学習到達度がそれぞれ分析される。
【００５４】
講義内容選択工程は以下のステップからなる。先ず、前記分析結果に基づいて各学習者の学習到達度に適合する第１小講義が自動的にそれぞれ選択される。サーバＢ７３は、各学習者用端末８１〜８６に採点結果や模範解答等をそれぞれ送信するとともに、受講すべき第１小講義が蓄積されているサーバ（接続先）を各学習者用端末８１〜８６にそれぞれ通知する。各学習者用端末８１〜８６は、通知されたサーバに接続先がそれぞれ自動的に変更される。その後、各学習者用端末８１〜８６には、指定された第１小講義がサーバからそれぞれ配信される。
【００５５】
図３（ｂ）は、サーバの接続先が変更された状態を示す説明図である。図３（ｂ）においては学習者１及び５が初級の第１小講義、学習者２及び４が中級の第１小講義、学習者３及び６が上級の第１小講義を受講している。
【００５６】
各学習用端末８１〜８６は、先に行われた小テストの結果に応じて通知されたサーバに接続先がそれぞれ自動的に変更されている。例えば、学習者１は先に行われた小テストの結果、学習到達度が低いと判断され、その結果サーバＡ７１に接続先が自動的に変更されている。よって、学習者１の学習者用端末８１には、初級の第１小講義が自動的に配信される。同様に、学習者６は先に行われた小テストの結果、学習到達度が高いと判断され、その結果サーバＣ７５に接続先が自動的に変更されている。よって、学習者６の学習者用端末８６には、上級の第１小講義が自動的に配信される。
【００５７】
第１小講義が終了したら、学習者用端末８１〜８６にはそれぞれの接続先サーバから小テストが配信される。各学習者１〜６はこの小テストを解答し、各学習者用端末８１〜８６に解答結果をそれぞれ入力する。各学習者用端末８１〜８６はそれぞれの接続先サーバに各学習者の解答を送信する。各サーバＡ〜Ｃは、学習者から送信された解答を自動的に採点し、その学習到達度をそれぞれ分析する。各サーバＡ〜Ｃは、各学習者用端末８１〜８６に採点結果や模範解答等をそれぞれ送信するとともに、各学習者の学習到達度に応じて受講すべき第２小講義をそれぞれ選択し、各学習者用端末８１〜８６にサーバの接続先を通知する。各学習者用端末８１〜８６は、通知されたサーバに接続先が自動的に変更される。その後、各学習者用端末８１〜８６には、指定された第２小講義がそれぞれ配信される。
【００５８】
図３（ｃ）は、サーバの接続先が変更された状態を示す説明図である。図３（ｃ）においては学習者２が初級の第２小講義、学習者３及び５が中級の第２小講義、学習者１及び４、６が上級の第２小講義を受講している。
【００５９】
各学習用端末８１〜８６は、先に行われた小テストの結果に応じて通知されたサーバに接続先がそれぞれ変更されている。例えば、学習者１は先に行われた小テストの結果、学習到達度が高いと判断され、その結果サーバＣ７５に接続先が自動的に変更されている。よって、学習者１の学習者用端末８１には、上級の第２小講義が自動的に配信される。同様に、学習者６は先に行われた小テストの結果、学習到達度が高いと判断され、その結果サーバＣ７５に接続先が自動的に維持されている。よって、学習者６の学習者用端末８６には上級の第２小講義が自動的に配信される。
【００６０】
この第３実施形態の本発明の学習システムは、予め収録された講義を配信するため、第２実施形態の学習システムによって得られる効果に加え、学習者の学習時間帯を問わない利点を有する。さらには、講義を予め収録しておくので、複数の講師が同時に講義を行う必要がない。そのため、小講義の種類を多様化することも容易である。例えば、問１〜問３の３問の問題からなる小テストにおいて、問２が不正解であった学習者に対して、問２の解説を特に充実させた講義を配信することが可能である。このように、第３実施形態の本発明の学習システムは、様々な内容の小講義を蓄積しておくことができるため、学習者の学習効率を向上させ易い。
【００６１】
この第３実施形態の学習システムは、小テストの解答を採点して各学習者の学習到達度の変動をサーバに蓄積し、該小テスト直前に行われた小講義の学習到達度の向上効果を評価するステップを有することが好ましい。即ち、この第３実施形態の学習システムは、各学習者の学習到達度の変動をサーバに蓄積することにより、各小講義の学習到達度の向上効果を評価することができる。例えば、ある学習者の配信講義の難易度がより上級の講義に変更された場合を＋１ポイント、より下級の講義に変更された場合を−１ポイントのようにポイントを付与し、各小講義に付与されたポイントを積算することにより、その小講義の学習到達度の向上効果を評価することができる。
【００６２】
さらに、この第３実施形態の学習システムは、該小講義の評価を小講義の配信優先順位に反映させるステップを有することが好ましい。即ち、各学習者に受講させる小講義の候補が複数ある時、評価が最も高い小講義を配信するように構成することが好ましい。また、小講義を複数作成し、前記方法により該小講義の学習到達度の向上効果をそれぞれ測定して評価し、該評価が最も高い小講義を配信するように構成しても良い。このように構成する場合、この学習システムは、長期間使用するほど小講義の学習到達度の向上効果の評価が充実するため、配信する講義の質が向上する。その結果、各学習者の学習到達度を向上させ易くなる。また、小講義単位で講義を作成するので、小講義の種類を充実させ易い。さらに、法改正等によって学習内容が変化した場合であっても、一部の小講義を差し替えれば良く、経済的である。
【００６３】
上記の例では３台のサーバを用いているが、これに限らず、前記３台のサーバの役割を１台のサーバに担わせる構成としても良い。また、テスト配信用のサーバと講義配信用のサーバとを設けても良い。
【００６４】
上記の講義は４５分〜３時間であり、６０〜９０分間が好ましい。また、上記の小講義は、３〜１５分間であり、５〜１２分間であることが好ましい。１講義中に配信される小講義数は３〜３０であり、５〜１５であることが好ましい。
【符号の説明】
【００６５】
１１、１３、１５、４１、４３、４５、７１、７３、７５・・・サーバ
２１、２２、２３、２４、２５、２６、５１、５２、５３、５４、５５、５６、８１、８２、８３、８４、８５、８６・・・学習者用端末
３１・・・電子黒板
３３、６１、６３、６５・・・講師用端末
６２、６４、６６・・・映像配信装置
【図１】
0006549822.tif 000002
【図２】
0006549822.tif 000003
【図３】
0006549822.tif 000004
【図４】
0006549822.tif 000005